(57)【要約】【課題】非特定利益状態では始動装置の球入口を閉止する遮蔽部材を設けることにより、非特定利益状態での始動装置への入賞、及び入賞による入賞球の払出を完全に防止し、不適正な遊技方法を防止すること。【解決手段】変動入賞口１１の開放動作等を始動させるためのパチンコ機の始動装置２０であって、外側面に、遊技球を収容可能な球受け凹部２４が設けられるとともにモータにより回転駆動される回転体２２と、特定利益状態と非特定利益状態とを判別する判別手段からの信号により、遊技球が、球受け凹部２４に、特定利益状態においては収容可能に、非特定利益状態においては収容不能に変位される遮蔽部材３２とを備えた。【選択図】　　図２
2004141214.tif 000002
【特許請求の範囲】
【請求項１】
変動入賞口等の入賞装置の開放動作等を始動させるためのパチンコ機の始動装置であって、
外側面に、遊技球を収容可能な球受け凹部が設けられるとともにモータ等により回転駆動される回転体と、
特定利益状態と非特定利益状態とを判別する判別手段からの信号により、遊技球が、前記球受け凹部に、前記特定利益状態においては収容可能に、前記非特定利益状態においては収容不能に変位される遮蔽部材と、を備えたことを特徴とするパチンコ機の始動装置。
【請求項２】
前記遮蔽部材には、遊技盤面の前後方向に前記遮蔽部材を変位可能に設けられたソレノイドが取り付けられたことを特徴とする請求項１に記載のパチンコ機の始動装置。
【発明の詳細な説明】
【０００１】
【発明の属する技術分野】
本各発明は、変動入賞口等の入賞装置の開放動作等を始動させるためのパチンコ機の始動装置に関するものであり、特に、モータなどによって回転駆動される回転体が取り付けられるとともに、この回転体の外側面に、遊技球を収容可能な球受け凹部が設けられた始動装置に関するものである。
【０００２】
【従来の技術】
従来、変動入賞口等の入賞装置の開放動作等を始動させるために、モータなどによって回転駆動される回転体が取り付けられるとともに、この回転体の外側面に、遊技球を収容可能な球受け凹部が設けられた始動装置が種々知られており、例えば図５に示すような第３種パチンコ機に設けられる始動装置６０が知られている。以下、図５を参考にして従来の始動装置６０について説明する。
【０００３】
この始動装置６０には、内蔵されたモータ（図示省略）により一定速度で回転駆動される回転体６２が取り付けられている。また、回転体６２の外側面には１個の遊技球を収容可能な大きさの球受け凹部６４が設けられている。回転体外側面の外側には、この回転体を囲むように囲繞壁６６が設けられているが、この囲繞壁６６の上部側には、球受け凹部６４に向けて遊技球が通過可能となるように、遊技球の外径よりも幅広の球入口６８が開口されている。
【０００４】
この種の第３種パチンコ機では、例えば、始動ゲート７への遊技球の通過を契機として図柄表示装置８の図柄が変動され、この図柄表示装置８において特定の図柄が揃った場合に「当たり」とされる。ついで、変動入賞装置１５が開放されて遊技球が入賞すると「大当たり」等の「特定利益状態」となる。この「特定利益状態」で遊技球が始動装置６０に入賞されると、所定数の入賞球が払い出されるとともに、開放アタッカー１２を備えた変動入賞口１１が開放される。この開放アタッカー１２の開放動作は、一定時間の経過又は変動入賞口１１への一定個数（例えば１０個など）の遊技球の入賞に至るまで継続され、その後開放アタッカー１２は閉じられる。そして、再び始動装置６０に遊技球が入賞されると、上記したような開放アタッカー１２の開放動作が所定回数まで（例えば１５回まで）繰り返される。
【０００５】
また、このような始動装置６０の多くは、遊技盤１の正面視右側に配設されており、特定利益状態となった際には、通常の遊技球の弾発の仕方とは変えて、ハンドルの弾発力を強めて始動装置６０の配設された盤面右側を狙ういわゆる「右打ち」を行うように設けられていることが多い。また、回転体６２は上記したようにパチンコ機の電源投入直後から所定速度で回転されており、回転体６２が一回転する所定時間内には、球受け凹部には一つの遊技球だけが収容され、したがって、一つの遊技球だけが入賞されることとなるように設けられている。
【０００６】
また、上記したような始動装置６０では、球入口６８の大きさが大きめに設けられたり、遊技球が球入口６８へ容易に導かれるように始動装置６０周辺の釘調節がなされており、特定利益状態における始動装置６０への遊技球の入賞が容易となるように設けられている。
【０００７】
【発明が解決しようとする課題】
ところで、上記したように始動装置６０に遊技球が入賞されると所定数の入賞球が払い出されるように設けられている。このため、この始動装置６０への入賞による入賞球の払出を狙い、特定利益状態でない場合（以下「非特定利益状態」とする。）であっても右打ちを行い、特に、遊技球が球受け凹部６４に収容された後、回転体６２がさらに一回転して、次の遊技球が収容可能となった球受け凹部６４が球入口６８付近に近づくまでは遊技球の弾発を停止する、いわゆる「止め打ち」を行うことにより、持ち玉を徐々に増やすような遊技が行われることがあった。このため、当初購入した遊技球だけで徐々に持ち玉を増やして遊技を続けることのできる、このような遊技方法を禁止するために、遊技ホールによっては、非特定利益状態での「右打ち」を禁止する張り紙などを掲示していたが、その実効性は得られていなかった。
【０００８】
本発明は、上記した従来の始動装置の問題点を解消するものであり、非特定利益状態では始動装置の球入口を閉止する遮蔽部材を設けることにより、非特定利益状態での始動装置への入賞、及び入賞による入賞球の払出を完全に防止し、不適正な遊技方法を防止することを目的とする。
【０００９】
【課題を解決するための手段】
以上の課題を解決するために、本各発明の採った手段を以下に説明する。本発明の請求項１に記載のパチンコ機の始動装置は、変動入賞口等の入賞装置の開放動作等を始動させるためのパチンコ機の始動装置であって、外側面に、遊技球を収容可能な球受け凹部が設けられるとともにモータ等により回転駆動される回転体と、特定利益状態と非特定利益状態とを判別する判別手段からの信号により、遊技球が、前記球受け凹部に、前記特定利益状態においては収容可能に、前記非特定利益状態においては収容不能に変位される遮蔽部材と、を備えたことを特徴とする。
【００１０】
このように始動装置を構成することにより、非特定利益状態には遮蔽部材により球受け凹部に遊技球が収容されないようにして始動装置への入賞、又は始動装置への遊技球の収容に連なって行われる入賞による入賞球の払い出しを防止することができ、一方、特定利益状態には始動装置への入賞又は始動装置への遊技球の収容に連なって行われる入賞による入賞球の払い出し、及び変動入賞口等の入賞装置の開放動作等の始動を行えるようにすることができる。
【００１１】
上記したように、本発明でいう「始動装置」とは、それ自体に入賞口は備えず、遊技球を一時的に回転体の球受け凹部収容して、下方などに配設された入賞口に排出するものや、逆に、それ自体に入賞口を備えるものなど種々の始動装置を含む。また、「遮蔽部材」は、遊技球が球受け凹部に収容可能又は収容不能のそれぞれの状態を実現できるものであれば、形状、その変位方法、取付部位等は特に限定されない。例えば、形状は「板状」のものや「棒状」のものを例示することができる。また、材質も特に限定されず、樹脂製や金属製等のものを例示することができる。また、遮蔽部材の変位方法は、例えば、遮蔽部材にソレノイドを取り付けて、このソレノイドを励磁・励磁断する方法が考えられる。また、遮蔽部材は、始動装置本体に取り付けても、回転体に取り付けてもいずれでも良い。また、「特定利益状態」とはいわゆる「大当たり」などの通常の遊技状態とは異なる遊技態様を言い、「非特定利益状態」とは、この特定利益状態以外の遊技状態を言う。また「判別手段」は、具体的には、所定の入賞口内等に設けられた遊技球検出センサからの検出信号や、特定利益状態となった以降の変動入賞口等への入賞球個数や開放アタッカーなどの開閉回数等により判別する電子制御回路等を言う。
【００１２】
本発明では、上記のように変位可能な遮蔽部材を設けることにより、特定利益状態では始動装置への入賞を可能としつつ、非特定利益状態においては始動装置への入賞を完全に防止することができる。よって、非特定利益状態における始動装置への入賞に伴う入賞球の払出を防止することができ、このような不適正な遊技方法を防止することができる。
【００１３】
本発明の請求項２に記載のパチンコ機の始動装置は、前記遮蔽部材には、遊技盤面の前後方向に前記遮蔽部材を変位可能に設けられたソレノイドが取り付けられたことを特徴とする請求項１に記載のパチンコ機の始動装置、である。
【００１４】
上記したような遮蔽部材を変位するためにソレノイドを用いたものであり、遮蔽部材の変位手段として極めて簡便・安価に採用できる。また、遊技盤面の前後方向に変位するように設けることにより、ソレノイドと遮蔽部材の取付構造を簡便化させることができる。また、遮蔽部材を前後方向に移動させることとすることにより、遮蔽部材の後退時には遮蔽部材を遊技盤面後方側に収容できる。よって、遮蔽部材の後方への変位時に、遊技盤面表側には遮蔽部材を待避させるための空間を必要としない。したがって、遊技盤面表側において少ないスペースで始動装置の各部品を配置することができ始動装置の小型化を図ることができ、特に、正面視投影面積を小さくすることができる。また、遊技者側に露呈される遊技盤面表側にこのような遮蔽部材待避用の空間、或いは遮蔽部材収納用の部材などを必要としないので、始動装置の美観を損なうおそれも少ない。
【００１５】
【発明の実施の形態】
次に、請求項１及び請求項２の各発明を適用したパチンコ機の始動装置の実施の形態を図１から図４を参考にして詳細に説明する。図１に示すように、この始動装置２０が取り付けられたパチンコ機は、いわゆる「権利もの」と呼ばれる第３種パチンコ機である。以下、このパチンコ機の遊技盤１の構成について説明する。
【００１６】
遊技盤１の誘導レール２に囲まれた遊技領域３には、本発明に係る始動装置２０を含む各種のパチンコ機用部品が配設されている。遊技領域３には、風車５ａ〜５ｅ、入賞口６ａ〜６ｆが配設されている。また、遊技領域の中央やや上方寄りの入賞口６ａ下方には、図柄表示装置８が配設されている。図柄表示装置８は、２つの図柄表示器１０ａ、１０ｂが備えられており、図柄表示装置８の下方に配設された通過ゲート７に遊技球（図示省略）が通過することにより図柄の変動表示が開始されるように制御されている。通過ゲート７は、単に遊技球が通過するように構成されているものであり、遊技球の通過に際して入賞球等の払出は行われないが、この通過ゲート７を、図柄表示装置８の変動表示を開始するとともに同時に入賞球の払出を行う入賞口等に代えても良い。また、通過ゲート７の下方には、後述する「当たり」判定時に開放駆動される電動入賞装置１５が設けられている。また、遊技領域３の正面視右側やや上方寄りには、始動装置２０が設けられ、始動装置２０の下方には始動入賞口１４が、さらに始動入賞口１４の下方遊技領域やや中央寄りには変動入賞口１１が配設されている。そして、遊技領域３の最下部にはアウト口４が開口されている。なお、遊技領域３内には、多数の遊技釘が打設されているが、図示は省略している。
【００１７】
図柄表示装置８には、セグメントＬＥＤから構成される２つの図柄表示器１０ａ、１０ｂと、ゲート通過記憶表示器９が備えられている。遊技領域３を落下してきた遊技球が通過ゲート７を通過すると、通過ゲート７内に設けられた遊技球検出センサからの検出信号により各図柄表示器１０ａ、１０ｂは変動表示を開始し、一定時間経過後にまず左側の図柄表示器１０ａが変動表示を停止して特定の図柄（例えば、数字０〜９、英字Ｆの１１種類などのいずれか）を表示し、次いで左側の図柄表示器１０ａに僅かに遅れて右側の図柄表示器１０ｂが変動表示を停止して同様に特定の図柄を表示する。また、ゲート通過記憶表示器９は、通過ゲート７を通過した遊技球の数を上限４個まで表示する。よって、ゲート通過記憶表示器のＬＥＤが総て（本例では４個）表示された状態で、新たに遊技球が通過ゲート７を通過しても、その遊技球の通過はカウントされず無効とされる。
【００１８】
「当たり」と判定されると図柄表示器１０ａ及び１０ｂは、例えば「７、７」等の同じ図柄に揃えられる。そしてこの「当たり」表示後、通過ゲート７下の電動入賞装置１５が一定時間（例えば５秒）開放駆動され、この電動入賞装置１５に遊技球が入賞すると、電動入賞装置１５内の遊技球検出センサからの検出信号により「大当たり」等の「特定利益状態」と判定される。なお、本パチンコ機においては、通常の「当たり」確率である「低確率」及び通常の当たり確率よりも高確率の当たり状態である「高確率」のいずれかが抽選され、「高確率」と判定された時には、以後の抽選まで当たり確率が高い状態でゲームを行えるようにして遊技者の興趣を高めるように設けられている。また、図柄表示器１０ａ、１０ｂは赤・緑等の２色セグメントＬＥＤで構成され、通常の当たり確率で変動表示が行われる場合は赤色で、高確率の当たり確率で変動表示を行う場合は緑色となるように表示制御され、遊技者が確率状態を容易に判別できるように設けられている。
【００１９】
そしてこの特定利益状態において、遊技球が始動装置２０を経て始動入賞口１４に入賞されると、始動入賞口１４内の遊技球検出センサからの検出信号により、始動入賞口１４下方に配設された変動入賞口１１が開放作動される。なお、始動装置２０は遊技盤１正面視右側に配設されており、遊技者は、特定利益状態となった場合にはいわゆる「右打ち」をして始動装置２０への遊技球の入賞を狙うこととなる。
【００２０】
図２及び図４に示すように、この始動装置２０には、内蔵されたモータ（図示省略）に軸着されて一定速度で回転駆動（図２のＢ矢印方向）される回転体２２が取り付けられており、この回転体２２の外側面には、１個の遊技球のみを収容可能な大きさの球受け凹部２４が設けられている。また、回転体２２の外側面の外側には、この回転体２２を囲むように囲繞壁２６が設けられている。この囲繞壁２６の上部側には、遊技球が通過可能な幅の球入口２８が開口されており、下部側には、回転体２２が回転して球受け凹部２４が始動装置２０の下方に位置したときに、球受け凹部２４に収容された遊技球を始動装置２０下方に向けて落下させるための球出口３０が開口されている。そして、球入口２８を通じて球受け凹部２４に収容された遊技球は、回転体２２が回転駆動されることにより球出口３０まで運ばれ、球出口３０から始動入賞口１４に向けて落下される。
【００２１】
ここで、始動装置２０についてより詳細に説明する。回転体２２は囲繞壁２６内に収容されており、このため図３に示すように、始動装置２０正面視において、球入口２８の部位は囲繞壁２６よりも下方に向けて若干窪んだ断面形状となっている。よって、球受け凹部２４が球入口２８の部位に位置する場合には、遊技球は球受け凹部２４に収容されるのであるが、球受け凹部２４が球入口２８の部位に位置しない場合であっても、球入口２８の部位の回転体２２外側面上に遊技球が保留可能に設けられている。したがって、球受け凹部２４が球入口２８の部位に回転移動される時を見計らって始動装置２０を狙って遊技球を発射する必要は必ずしもなく、始動装置２０を適時に狙って遊技球を発射し始動装置２０に遊技球が保留されることにより、回転体２２の回転移動により始動入賞口１４への入賞は、容易に連続して行うことができる。
【００２２】
また、始動装置２０には球入口２８を開放・閉止することのできる板状の遮蔽部材３２が設けられている。遮蔽部材３２の正面視縦断面形状は、中央部から左右に向けて下方に傾斜する三角状に形成されており、遊技球が当たった際に左右に落下しやすく始動装置２０上部において球詰まりが生じ難いように設けられている。また遮蔽部材３２先端には、遊技球の形状にあわせた平面視半円状の凹部３３が形成されており、遮蔽部材３２が後方に退避され球入口２８が開放された際に遮蔽部材３２の一部が球入口２８内に突出している場合でも、この凹部３３により遊技球を円滑に通過させることができる。特に、始動装置２０の本体３４内の収納空間が充分でなく遮蔽部材３２の後方へのストローク量を充分に確保できない場合であっても、遊技球を円滑に通過させることができ有効である。
【００２３】
また図２及び図４に示すように、遮蔽部材３２は、本体３４内部に取り付けられたソレノイド（図示省略）に、可動軸３６を介して連結されており、このソレノイドの駆動により、始動装置２０の本体３４に穿設された挿通孔４０から正面側に向けて球入口２８を閉止可能に、本体３４前後（図２のＡ矢印方向）に突出・退避するように設けられている。そして、この遮蔽部材３２は、非特定利益状態においては正面側に突出された状態とされており、球受け凹部２４に遊技球が収容されることはない。また、始動入賞口１４には、通常は、直接、遊技球が入賞できないように始動入賞口１４周辺の遊技釘が調整されたり、上方の始動装置２０との間隔が狭められて配設されている。したがって、非特定利益状態では、始動入賞口１４への遊技球の入賞による入賞球の払出は行われない。
【００２４】
一方、特定利益状態となった場合には、ソレノイド３６の励磁により遮蔽部材３２が本体３４背面方向に退避され、遊技球が球受け凹部２４に収容可能となる。ソレノイド３６は、上記した変動入賞装置１５内の遊技球検出センサ（図示省略）からの検出信号により（すなわち「特定利益状態」となっている場合に）励磁され、これに取り付けられた遮蔽部材３２を始動装置２０背面側に退避させる。このようにして、球入口２８が開放され、遊技球が球受け凹部２４に収容可能とされる。そして、ソレノイド３６の励磁は、後述するように、変動入賞口１５の開放アタッカー１２が所定回数開放動作を行った後（すなわち、特定利益状態が終了された時）に終了され、再度遮蔽部材３２が球入口２８を閉止することとなり、特定利益状態となれば同様にこれらの動作が繰り返される。なお、本例の遮蔽部材３２の退避時には、遮蔽部材３２は本体３４内に収容されるので、遮蔽部材３２の退避時のスペースを始動装置２０正面側の遊技者の目に付く部位に確保する必要がなく、よって、始動装置２０の美観を損ねるなどの問題は生じない。
【００２５】
そして、球受け凹部２４収容された遊技球は、球受け凹部２４と囲繞壁２６によって保持されたまま回転体とともに下方に回転移動される。回転体２２が回転し、球受け凹部２４が球出口３０に位置すると、球受け凹部２４内の遊技球が球出口３０を通って下方に落下し、始動装置２０下方の始動入賞口１４へ入賞されるように設けられている。
【００２６】
始動入賞口１４に遊技球が入賞されると、始動入賞口１４内に設けられた遊技球検出センサからの検出信号により、変動入賞口１１の開放アタッカー１２が開放される。また、同時に、遊技球が始動入賞口１４へ入賞すると所定個数の入賞球が払い出される。開放アタッカー１２は、変動入賞口１１に所定個数（例えば１０個）の遊技球が入賞するまで、又は所定時間（例えば９．５秒）が経過するまでのいずれかに至るまで開放される。そしてこの開放動作を所定回数（例えば１５回）繰り返して特定利益状態が終了する。なお、開放アタッカー１２内には、入賞する遊技球を検出する入賞球センサが設けられるとともに、変動入賞口１１正面には、入賞された遊技球の個数をカウント表示する入賞球数表示器１３が設けられている。
【００２７】
ところで回転体２２は、開放アタッカー１２が開放される所定時間（上記の例では９．５秒）よりも長い時間（例えば１０秒）で一回転する速度で回転駆動されている。したがって、開放アタッカー１２が開放される所定時間の間は、回転体２２の球受け凹部２４に次に収容された遊技球が、始動入賞口１４に入賞することはない。よって、開放アタッカー１２が開放される所定時間内に次の遊技球が始動入賞口１４に入賞することはないので、開放アタッカー１２の開放所定時間内に、次の開放時間のカウントが開始されることはない。したがって、上記したように球受け凹部２４が球入口２８に位置していない場合でも球入口２８に遊技球を保留させておけば、予め定められた所定時間内は開放アタッカー１２を確実に開放させて変動入賞装置１５の上限入賞個数の遊技球を容易に入賞させることができるとともに、連続して変動入賞口１１への入賞を続けることができ、特定利益状態における遊技者の興趣を一層惹起することができる。
【００２８】
なお、実施の形態は上記した例示に限られるものではなく種々の変更が可能である。例えば遮蔽部材については、上記遮蔽部材３２に限られず種々の形状・駆動方法等の変更が可能である。形状については、図示する板状のものに限られず、例えば棒状等の球入口２８に遊技球が通過不能となる形状であれば特に限定はされず、製造費用や美観等の諸事情に従い適宜変更使用することができる。また、本体３４内の収納空間が充分であり遮蔽部材が後方に退避された場合に球入口２８に遊技球が通過するための充分な空間が確保できる場合等には、遮蔽部材に上記したような凹部３３を設けることに限定はされない。
【００２９】
また、上記した遮蔽部材３２とは異なり、始動装置２０の横方向にスライドするように駆動しても良く、本体３４内のソレノイド収納空間や、始動装置２０の正面側の各構成部材の配置等の諸事情に従い適宜変更することができる。また、スライドするのではなく、特定利益状態時には遮蔽部材が後方に折曲揺動されて球入口２８を開放するように設けても良い。
【００３０】
上記した始動装置２０は、単に遊技球を始動入賞口１４に導くものであったが、変動入賞口１１の開放アタッカー１２を開放するために遊技球の入賞を検知する遊技球検出センサを備えるものや、この遊技球検出センサの検出信号により入賞球の払出も行う始動装置に適用してもよい。また、球受け凹部が１箇所の回転体を備える始動装置に限られず、複数個の球受け凹部が形成された回転体を備える始動装置に適用してもよい。また、第３種パチンコ機に用いる始動装置に限られず、第１種パチンコ機や第２種パチンコ機の遊技内容を前提にした始動装置に用いることとしても良い。
【００３１】
次いで、前記実施の形態から把握される請求項記載以外の技術的思想について説明する。変動入賞口等の入賞装置の開放動作等を始動させるためのパチンコ機の始動装置であって、外側面に、遊技球を収容可能な球受け凹部が設けられるとともにモータ等により回転駆動される回転体と、特定利益状態時にのみ始動装置の球出口を開放するように変位する遮蔽部材とを設ける。特定利益状態時にのみ始動装置の球入口を開放するのではなく、逆に球出口の開閉により遊技球の入賞を制御するものである。このように構成することにより、特定利益状態となる前に予め球受け凹部２４内に遊技球を収容しておき特定利益状態となった際の始動入賞口１４への遊技球の入賞を準備することができるので、遊技者の期待感をより向上させ従来のパチンコ機では得られない興趣を与えることができる。また、始動装置内の配設場所の制約などにより、遮蔽部材が取り付けられるソレノイドが球入口付近に設けることが困難な場合にも遮蔽部材を取り付けることができる。
【００３２】
変動入賞口等の入賞装置の開放動作等を始動させるためのパチンコ機の始動装置であって、外側面に、遊技球を収容可能な球受け凹部が設けられるとともにモータ等により回転駆動される回転体と、球入口及び球出口の他に、回転体の回転方向における球入口から球出口へ至る囲繞壁に排出口を別途形成し、非特定利益状態では排出口を開放することとして、球入口から球受け凹部に収容された遊技球がこの排出口から排出されるように設け、特定利益状態では排出口を閉塞して遊技球が球出口から流出するように設ける。このようにして、特定利益状態時にのみ球出口から始動入賞口への遊技球の入賞を可能とする。このように構成することにより、始動装置内の配設場所の制約などにより、遮蔽部材が取り付けられるソレノイドが球入口付近や、球出口付近に設けることが困難な場合にも遮蔽部材を取り付けることができる。
【００３３】
また、その他、始動装置のバリエーションがあれば、その始動装置の球入口や球出口に応じた部位に、適宜、上記したような遮蔽部材を設ければよい。
【００３４】
【発明の効果】
本各発明は上記のように構成されているので、非特定利益状態における始動装置への入賞に伴う入賞球の払出を防止することができ、このような不適正な遊技方法を防止することができる、という効果を奏する。また請求項２に記載のパチンコ機の始動装置では、これに加えて、遮蔽部材の取付構造を簡便化させることができ極めて簡便・安価にこの始動装置を実現でき、また、始動装置の小型化を図ることができ、さらには始動装置の美観を損なうおそれも減少させることができる。
【図面の簡単な説明】
【図１】本発明の始動装置を取り付けたパチンコ機の遊技盤の正面図である。
【図２】本発明の始動装置の斜視図である。
【図３】本発明の始動装置の正面図である。
【図４】本発明の始動装置の一部透視斜視図である。
【図５】従来の始動装置を取り付けたパチンコ機の遊技盤の正面図である。
【符号の説明】
１；遊技盤、２；誘導レール、３；遊技領域、４；アウト口、５ａ〜５ｅ；風車、６ａ〜６ｆ；入賞口、７；通過ゲート、８；図柄表示装置、１０ａ，１０ｂ；図柄表示器、１１；変動入賞口、１２；開放アタッカー、１３；入賞球数表示器、１４；始動入賞口、１５；電動入賞装置、２０；始動装置、２２；回転体、２４；球受け凹部、２６；囲繞壁、２８；球入口、３０；球出口、３２；遮蔽部材、３３；凹部、３４；本体、３６；可動軸、４０；挿通孔６０；始動装置、６２；回転体、６４；球受け凹部、６６；囲繞壁、６８；球入口。
【図１】
2004141214.tif 000003
【図２】
2004141214.tif 000004
【図３】
2004141214.tif 000005
【図４】
2004141214.tif 000006
【図５】
2004141214.tif 000007